【手続補正書】
【提出日】平成17年7月7日(2005.7.7)
【手続補正１】
【補正対象書類名】明細書
【補正対象項目名】発明の名称
【補正方法】変更
【補正の内容】
【発明の名称】処置装置
【手続補正２】
【補正対象書類名】明細書
【補正対象項目名】特許請求の範囲
【補正方法】変更
【補正の内容】
【特許請求の範囲】
【請求項１】
腹腔内に導入され手に納まる大きさを有し腹腔内に挿入された手によって操作される少なくとも１つの処置具若しくはＣＣＤカメラを具備する、ことを特徴とする処置装置。
【請求項２】
前記少なくとも１つの処置具若しくはＣＣＤカメラは、少なくとも２つの処置具若しくはＣＣＤカメラであり、
前記少なくとも２つの処置具若しくはＣＣＤカメラは、線状部材が取り付けられる取付部を夫々有し、前記取付部に取り付けられている前記線状部材によって互いに接続されている、
ことを特徴とする請求項１に記載の処置装置。
【請求項３】
この処置装置は、口元側が少なくとも肘までの長さを有する手袋をさらに具備し、
前記手袋は、前記処置具若しくはＣＣＤカメラが設けられている指部を有する、
ことを特徴とする請求項１に記載の処置装置。
【請求項４】
この処置装置は、少なくとも１つの前記処置具若しくはＣＣＤカメラから延出されているコード類を有し、
前記コード類は、前記手袋の前記指部から前記口元側まで前記手袋と一体的に形成されている、
ことを特徴とする請求項３に記載の処置装置。
【請求項５】
前記コード類は、少なくとも２つの前記処置具若しくはＣＣＤカメラから延出されており、
この処置装置は、前記コード類の延出端部がまとめられ、前記処置具若しくはＣＣＤカメラの本体側と接続されるコネクタをさらに具備する、
ことを特徴とする請求項４に記載の処置装置。
【請求項６】
前記処置具は、モノポ−ラ高周波電極、バイポ−ラ高周波電極、ツッペル、レーザプローブ、送水口、吸引口、カテーテル、並びに、注射針の少なくともいずれかを有する、
ことを特徴とする請求項３乃至５のいずれか１に記載の処置装置。
【手続補正３】
【補正対象書類名】明細書
【補正対象項目名】０００１
【補正方法】変更
【補正の内容】
【０００１】
【発明の属する技術分野】
本発明は、内視鏡下外科手術に用いられ、手を腹腔内に挿入して処置する際に用いる処置装置に関する。
【手続補正４】
【補正対象書類名】明細書
【補正対象項目名】０００９
【補正方法】変更
【補正の内容】
【０００９】
【発明が解決しようとする課題】
腹腔内に手を挿入する場合は、開腹手術と同じような処置をするために腹腔内に鉗子等の処置具若しくはＣＣＤカメラを導入する必要が生じる。しかし、腹腔内には開腹用の処置具等をそのまま入れて操作するまでの広い空間は無いため、専用の小型の処置具若しくはＣＣＤカメラが必要になる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
本発明は、前記事情に着目してなされたもので、その目的とするところは、腹腔内で開腹手術と同じ感覚で処置が行える処置装置を提供することにある。
【手続補正９】
【補正対象書類名】明細書
【補正対象項目名】００１４
【補正方法】変更
【補正の内容】
【００１４】
【課題を解決するための手段】
本発明は、腹腔内に導入され手に納まる大きさを有し腹腔内に挿入された手によって操作される少なくとも１つの処置具若しくはＣＣＤカメラを具備する、ことを特徴とする処置装置である。
【手続補正１０】
【補正対象書類名】明細書
【補正対象項目名】０００１５
【補正方法】削除
【補正の内容】
【手続補正１１】
【補正対象書類名】明細書
【補正対象項目名】００１６
【補正方法】変更
【補正の内容】
【００１６】
【発明の実施の形態】
以下、各実施の形態を図面に基づいて説明する。
【手続補正１２】
【補正対象書類名】明細書
【補正対象項目名】００９１
【補正方法】変更
【補正の内容】
【００９１】
【発明の効果】
以上説明したように、本発明によれば、腹腔内で開腹手術と同じ感覚で処置が行えるので、非常に迅速かつ確実に細かい操作が可能になる。
【手続補正１３】
【補正対象書類名】明細書
【補正対象項目名】図面の簡単な説明
【補正方法】変更
【補正の内容】
【図面の簡単な説明】
【図１】第１の実施形態を示す外科手術用アクセスデバイスを腹壁に装着した状態の一部断面した斜視図。
【図２】同実施形態の第２の弁の機能を示す縦断側面図。
【図３】同実施形態のスリーブとスリーブ固定との固定方法を示す縦断側面図。
【図４】同実施形態のスリーブとスリーブ固定との固定方法を示す縦断側面図。
【図５】同実施形態のスリーブとスリーブ固定との別の固定方法を示す一部断面した斜視図。
【図６】同実施形態の第２の弁を腹壁にセットするときの様子を示す斜視図。
【図７】同実施形態の第２の弁を腹壁にセットするときの様子を示す斜視図。
【図８】第２の実施形態を示す外科手術用アクセスデバイスを腹壁に装着した状態の断面図。
【図９】（ａ）（ｂ）は同実施形態の外科手術用アクセスデバイスの使用状態の斜視図、（ｃ）は先端部の同実施形態の固定リングとスリーブ固定との接続構造を示す（ａ）のＡ部分の断面図。
【図１０】同実施形態の固定リングとスリーブ固定との他の接続構造を示す断面図。
【図１１】同実施形態の固定リングとスリーブ固定との別の接続構造を示し、（ａ）は断面図、（ｂ）は斜視図。
【図１２】第３の実施形態を示す外科手術用アクセスデバイスを腹壁に装着した状態の一部断面した斜視図。
【図１３】同実施形態の第２の弁の変形例を示す斜視図。
【図１４】同実施形態の第２の弁を示し、（ａ）は斜視図、（ｂ）は（ａ）のＢ−Ｂ線に沿う断面図。
【図１５】第４の実施形態を示す外科手術用アクセスデバイスを示し、（ａ）は斜視図、（ｂ）は腹壁に装着する様子を示す斜視図。
【図１６】第５の実施形態を示す外科手術用アクセスデバイスを示す縦断側面図。
【図１７】第６の実施形態を示す外科手術用アクセスデバイスを腹壁に装着した状態の一部断面した斜視図。
【図１８】第７の実施形態を示す外科手術用アクセスデバイスを腹壁に装着した状態の一部断面した斜視図。
【図１９】同実施形態の作用説明図。
【図２０】同実施形態の変形例を示す斜視図。
【図２１】外科手術用アクセスデバイスの実際の使用状態を示す斜視図。
【図２２】外科手術用アクセスデバイスの実際の使用状態を示す斜視図。
【図２３】処置具の接続部を有するアクセスデバイスの実際の使用状態を示す斜視図。
【図２４】処置具の接続部を有するアクセスデバイスの実際の使用状態を示す縦断側面図。
【図２５】処置具を腹壁に固定した状態を示す縦断側面図。
【図２６】腹壁固定具を腹壁に固定した状態を示す縦断側面図。
【図２７】腹壁固定具を腹壁に固定した状態を示す縦断側面図。
【図２８】腹壁固定具を腹壁に固定した状態を示し、（ａ）縦断側面図、（ｂ）は（ａ）のＣ−Ｃ線に沿う断面図。
【図２９】腹腔内に両手を挿入して処置している状態の斜視図。
【図３０】腹腔内の処置を行う専用手袋を示し、（ａ）は斜視図、（ｂ）は（ａ）のＤ−Ｄ線に沿う断面図、（ｃ）は（ａ）のＥ−Ｅ線に沿う断面図。
【図３１】腹腔内の処置を行う専用手袋の指先に電極やＣＣＤカメラを装着した状態の斜視図。
【図３２】アクセスデバイスとともに使用されるスリーブの斜視図。
【図３３】図３２のスリーブが装着された腕をアクセスデバイスを介して体内に導入した状態を示す断面図。
【図３４】図３２のスリーブが装着された腕をアクセスデバイスを介して体内に導入した他の状態を示す断面図。
【図３５】手術用手袋が装着された腕をアクセスデバイスを介して体内に導入した状態を示す断面図。
【図３６】図３５の状態からさらに腕を腹腔の奥側に挿入した状態を示す断面図。
【図３７】腕に装着されるスリーブの他の構成を示す図。
【符号の説明】
１…第１の弁
２…第２の弁
３…スリーブ
４…孔
８…開口部